(57)【特許請求の範囲】
【請求項１】
外側面にコイル通電用のコネクタを具備したコイル組立体を有する電動コントロールバルブのコイルカバーにおいて、
コイル組立体の一端面側より被せ式にコイル組立体の周りに装着されて前記コネクタを内包する形態でコイル組立体の前記一端面と外側面を被覆するカップ状の電気絶縁性・防水性のカバー本体と、前記カバー本体の内側に形成され、前記コネクタに差し込まれるリード線コネクタの背面部を押さえてリード線コネクタの抜け止めを行うリブ片を一体に有していることを特徴とする電動コントロールバルブのコイルカバー。
【請求項２】
前記カバー本体はコイル組立体の円筒部外周に嵌合する略円筒部を含んで有り、前記略円筒部の内周に、コイル組立体の前記円筒部の外周面を乗り越えて当該円筒部の外縁角部に係合するストッパ突起を形成されていることを特徴とする請求項１に記載の電動コントロールバルブのコイルカバー。
【発明の詳細な説明】
【０００１】
【発明の属する技術分野】
この発明は、電動コントロールバルブのコイルカバーのコイルカバーに関し、特に、冷凍サイクル装置の電動膨張弁等として使用されるような電動コントロールバルブのコイルカバーに関するものである。
【０００２】
【従来の技術】
冷凍サイクル装置の電動膨張弁等として使用される電動コントロールバルブとして、特開平８−３１２８２３号公報に示されているように、弁ハウシングにモータのコイル組立体（ステータコイル）が固定され、前記モータのロータの回転によって弁体が駆動されて弁開度を変化するものが知られている。
【０００３】
上述のような電動コントロールバルブでは、コイル部分やコネクタ部分等の電気部分に水滴が付着すること等による着水短絡を防止するために、コイル組立体に電気絶縁性・防水性（ゴム製）のコイルカバーを被せることが行われており、この種のコイルカバーは、たとえば、実公平７−４７６５６号公報に示されている。
【０００４】
【発明が解決しようとする課題】
電動コントロールバルブのコイルカバーは、電気部分に水滴が付着することを防止する防水性能に優れ、その上で、構造が簡単で、部品点数、組付点数が少なく、組付性に優れていることを要求されるが、従来のコイルカバーは防水性能を満足しても、組付性に関しては充分ではない。また、従来のコイルカバーでは、コネクタに差し込まれるリード線コネクタの抜け止めを行うことができず、別途、コネクタの抜け止め構造を組み込む必要がある。
【０００５】
この発明は、上述の如き問題点を解消するためになされたもので、防水性、組付性に優れ、しかも装着と同時にリード線コネクタの抜け止めを行う電動コントロールバルブのコイルカバーを提供することを目的としている。
【０００６】
【課題を解決するための手段】
上述の目的を達成するために、請求項１記載の発明による電動コントロールバルブのカバーは、外側面にコイル通電用のコネクタを具備したコイル組立体を有する電動コントロールバルブのコイルカバーにおいて、コイル組立体の一端面側より被せ式にコイル組立体の周りに装着されて前記コネクタを内包する形態でコイル組立体の前記一端面と外側面を被覆するカップ状の電気絶縁性・防水性のカバー本体と、前記カバー本体の内側に形成され、前記コネクタに差し込まれるリード線コネクタの背面部を押さえてリード線コネクタの抜け止めを行うリブ片を一体に有しているものである。
【０００７】
請求項２記載の発明による電動コントロールバルブのカバーは、前記カバー本体がコイル組立体の円筒部外周に嵌合する略円筒部を含んでおり、前記略円筒部の内周に、コイル組立体の前記円筒部の外周面を乗り越えて当該円筒部の外縁角部に係合するストッパ突起を形成されているものである。
【０００８】
請求項１記載の発明による電動コントロールバルブのコイルカバーでは、カップ状のカバー本体がコイル組立体の一端面側より被せ式にコイル組立体の周りにワンタッチで装着され、この装着により、カバー本体の内側に形成されているリブ片がコネクタに差し込まれるリード線コネクタの背面部を押さえ、リード線コネクタの抜け止めを行う。
【０００９】
請求項２記載の発明による電動コントロールバルブのコイルカバーでは、カバー本体が被せ式にコイル組立体の周りに装着されることで、ストッパ突起がコイル組立体の円筒部の外周面を乗り越えて当該円筒部の外縁角部に係合し、この係合によりカバー本体のコイル組立体よりの抜け止めがワンタッチで行われる。
【００１０】
【発明の実施の形態】
以下に添付の図を参照してこの発明の実施の形態を詳細に説明する。
図１〜図４はこの発明による電動コントロールバルブの一つの実施の形態を示している。電動コントロールバルブは金属製の弁ハウジング１を有し、弁ハウジング１には、有底孔状の弁室２と、入口ポート３と、出口ポート４とが形成されている。
【００１１】
弁ハウジング１の上部にはストッパ突起片５ａ付きの円環状の取付座金５がろう付け部６により気密にろう付け固定されている。取付座金５上には、キャップ状のロータケース７が、取付座金５とロータケース７の外鍔状のフランジ７ａとによるフランジ結合部の溶接により、気密に固着している。
【００１２】
ロータケース７内にはステッピングモータ８のロータ９が回転可能に配置され、ロータケース７の外側に円筒状のコイル組立体１０が嵌合している。コイル組立体１０は、コイル部１１、内側に磁極歯１２ａを構成する缶体１２、コネクタ１３、位置決め固定金具１４とにより構成され、位置決め固定金具１４に形成されている係止爪１４ａが弁ハウジング１に固定されている位置決めピン１５に係合し、位置決め固定金具１４の係合爪１４ｂが取付座金５の外周端面に押し付けられることにより、がた付きを抑制された状態で、弁ハウジング１とロータケース７との結合体に位置決め固定される。
【００１３】
コネクタ１３は、コイル通電用のコネクタであり、缶体１２の外周面よりコイル径方向外方へ突出した形態で設けられており、コイル径方向にリード線コネクタ１９（図４参照）を抜き差し可能に接続される。
【００１４】
ロータ９は、中央孔９ａを有する円筒状をなしており、磁性粉を混練されて着磁した樹脂成形品で構成されている。ロータ９の中央孔９ａには、ロータ９とは別の単品として成形されたＰＰＳ樹脂等による樹脂成形品による弁体１６の頭部１６ａが挿入されている。
【００１５】
ロータ９にはストッパ片９ｃが一体成形されており、ストッパ片９ｃが取付座金５に折曲形成されたストッパ突起片５ａと当接することにより、ロータ９の回転範囲が定められている。
【００１６】
弁体１５は、弁ハウジング１の弁室２に回転可能に嵌合しており、入口ポート３および出口ポート４に対向する外周面部に、図３に示されているように、偏心外周面による計量周面１６ｃと、全開用溝１６ｄとを形成され、回転することにより、入口ポート３と出口ポート４との連通・遮断および弁開度（連通度）を変化する。
【００１７】
弁体１５には金属製の心軸１７がインサート成形され、心軸１７は弁室２に底部に配置された軸受ブッシュ１８に係合している。
【００１８】
図４に示されているように、コイル組立体１０には電気絶縁性・防水性のコイルカバー２０が被せられている。コイルカバー２０は、全体をプラスチックス成形品として一体成形されており、コイル組立体１０の上端面側より被せ式にコイル組立体１０の周りに装着されてコネクタ１３を内包する形態で、コイル組立体１０の上端面と外側面を被覆するカップ状のカバー本体２０ａと、カバー本体２０ａの内側に形成されてコネクタ１３に差し込まれるリード線コネクタ１９の背面部を押さえてリード線コネクタ１９の抜け止めを行うリブ片２０ｂを一体に有している。
【００１９】
カバー本体２０ａは、詳細に云えば、コイル組立体１０の円筒部外周（缶体１２の外周）に嵌合する略円筒部２０ｃと、コネクタ１３を内包するコネクタ内包用突出部２０ｄとを含んでおり、コネクタ内包用突出部２０ｄの内面にリブ片２０ｂを突出形成されている。また、略円筒部２０ｃの内周面には、コイル組立体１０の缶体１２の外周面を乗り越えて缶体１２の外縁角部に係合するストッパ突起２０ｅが形成されている。
【００２０】
上述の構成による電動コントロールバルブによれば、カップ状のカバー本体２０ａがコイル組立体１０の上端面側より被せ式にコイル組立体１０の周りにワンタッチで装着され、電気部分に水滴が付着することを防止する防水性能が得られる。このカバー本体２０ａの装着により、リブ片２０ｂがコネクタ１３に差し込まれているリード線コネクタ１９の背面部を押さえ、特別な操作を必要とすることなく、リード線コネクタ１９の抜け止めが行われる。
【００２１】
また、カバー本体２０ａが被せ式にコイル組立体１０の周りに装着されることで、ストッパ突起２０ｅがコイル組立体１０の缶体１２の外周面を乗り越えて缶体１２の外縁角部に係合する。この係合により、カバー本体２０ａのコイル組立体１０よりの抜け止めがワンタッチで行われる。
【００２２】
【発明の効果】
以上の説明から理解される如く、請求項１記載の発明による電動コントロールバルブのコイルカバーによれば、カップ状のカバー本体がコイル組立体の一端面側より被せ式にコイル組立体の周りにワンタッチで組付性よく装着され、この装着により、カバー本体の内側に形成されているリブ片がコネクタに差し込まれるリード線コネクタの背面部を押さえるから、カバー本体がコイル組立体に装着されるだけで、特別な抜け止め構造や操作を必要とすることなく、リード線コネクタの抜け止めが確実に行われる。これは、カバー本体がコイル組立体に装着されれば、必然的にリード線コネクタの抜け止めが行われることなり、リード線接続の信頼性が向上する。
【００２３】
請求項２記載の発明による電動コントロールバルブのコイルカバーによれば、カバー本体が被せ式にコイル組立体の周りに装着されることで、ストッパ突起がコイル組立体の円筒部の外周面を乗り越えて当該円筒部の外縁角部に係合し、この係合によってカバー本体のコイル組立体よりの抜け止めがワンタッチで確実に行われる。
【図面の簡単な説明】
【図１】この発明によるコイルカバーが使用される電動コントロールバルブの一つの実施の形態を示す縦断面図である。
【図２】この発明によるコイルカバーが使用される電動コントロールバルブの一つの実施の形態を示す外観図である。
【図３】この発明によるコイルカバーが使用される電動コントロールバルブの弁部の平断面図である。
【図４】この発明によるコイルカバーが装着された電動コントロールバルブのコイル組立体部分を示す断面図である。
【符号の説明】
１  弁ハウジング
２  弁室
３  入口ポート
４  出口ポート
５  取付座金
７  ロータケース
８  ステッピングモータ
９  ロータ
１０  コイル組立体
１６  弁体
１９  リード線コネクタ
２０  コイルカバー
２０ａ  カバー本体
２０ｂ  リブ片
２０ｅ  ストッパ突起
【図１】
0003848495.tif 000002
【図２】
0003848495.tif 000003
【図３】
0003848495.tif 000004
【図４】
0003848495.tif 000005